(57)【要約】【課題】  頭部を安定的に保持することが可能な枕及び着脱容易にこれを内包する枕カバーを提供する。【解決手段】  弾性体の枕本体１を備える枕であって、枕本体１は、略板状に形成されるとともに、上面１ａから下面に貫通する頭部保持孔１ｄが設けられ、枕本体１の下方には、略板状に形成され、上面から下面に貫通する貫通孔を備えたスペーサ２が枕本体１に重ねて設けられており、スペーサ２の貫通孔を、枕本体１の頭部保持孔１ｄの下方に配するとともに、頭部保持孔１ｄの開口面積よりも大きな開口面積を備えて形成する。【選択図】  図４
2007111157.tif 000002
【特許請求の範囲】
【請求項１】
弾性体の枕本体を備える枕であって、
前記枕本体は、略板状に形成されるとともに、上面から下面に貫通する頭部保持孔が設けられ、該枕本体の下方には、略板状に形成され、上面から下面に貫通する貫通孔を備えたスペーサが前記枕本体に重ねて設けられており、前記スペーサの前記貫通孔は、前記枕本体の前記頭部保持孔の下方に配されるとともに、前記頭部保持孔の開口面積よりも大きな開口面積を備えて形成されていることを特徴とする枕。
【請求項２】
請求項１に記載の枕において、
前記枕本体が、低反発ウレタンで形成されていることを特徴とする枕。
【請求項３】
請求項１または請求項２に記載の枕において、
前記スペーサが、前記枕本体と同じ素材、もしくは前記枕本体よりも硬度の高い素材で形成されていることを特徴とする枕。
【請求項４】
請求項１から請求項３のいずれかに記載の枕を内包するための布状の柔軟材からなる枕カバーであって、
一端側に前記枕を挿入する開口部を備えた袋状に形成され、撥水性または吸水性、あるいはこの双方の性質が付与されていることを特徴とする枕カバー。
【請求項５】
請求項４記載の枕カバーにおいて、
前記一端側は、前記柔軟材が少なくとも二重で形成されていることを特徴とする枕カバー。
【発明の詳細な説明】
【技術分野】
【０００１】
本発明は、枕及び枕カバーに関し、特に使用者の頭部を安定的に保持する枕及びこれを内包する枕カバーに関する。
【背景技術】
【０００２】
従来、頭部を適度な弾性を持って支持する枕には、例えば特許文献１に開示されているような、枕本体が、上面側からの平面視で略長方形を呈し、断面視で高い山部と低い山部の２つの山部が形成され、底面がほぼ平坦状に形成されたものがある。この枕本体は、例えばポリウレタンフォームで形成されて、布等で形成された袋状の枕カバーに内包されて使用される。また、この種の枕においては、高い山部が使用者の首部に接し、高い山部と低い山部の間の谷に後頭部が接するようにして使用され、ポリウレタンフォームで形成された枕本体が、頭部の荷重により圧縮されることによって、頭部を安定的に保持することが可能とされている。
【０００３】
一方、一般就寝時よりも安定的に頭部を保持することが要求される、例えば患者の手術や治療を施す際に用いられる枕には、枕本体が、例えば特許文献２に開示されているように、堅いベースの上面側に４つの柔軟なパッドが突出するように形成されたものがある。この枕においては、４つのパッドで画成された十字形凹部に患者の後頭部が保持され、かつ４つのパッドの上面に頭部が当接支持されることにより、頭部を安定的に保持することが可能とされている。また、この特許文献２に開示された枕においては、底部を下方に凸となる凸面で形成することによって、枕本体が、頭蓋の後の後頭骨の頭蓋仙骨の移動及びそれに付随した膜並びに筋肉に順応して患者の頭部を枕本体で保持しつつ移動するものとされ、生理学的な弛緩の状態を引き起こすことが可能とされている。このように形成された枕本体は、レザーのような柔軟な材料や繊維のカバーで被覆されて用いられている。
【特許文献１】特開２００４−２６７５７７号公報
【特許文献２】特表平１０−５０９９０４号公報
【発明の開示】
【発明が解決しようとする課題】
【０００４】
しかしながら、上記の特許文献１に開示されているような枕においては、頭部が移動すると、後頭部が高い山部と低い山部の間の谷からずれたり、首部が高い山部からずれてしまい、頭部を安定的に保持することができなくなるという問題があった。特に、上面側からの平面視で略長方形を呈するように形成され、その長手方向に高い山部と低い山部が延設されて枕本体が形成されているため、短手方向には頭部のずれが生じにくい一方で、長手方向に移動する頭部を保持することが困難であり、後頭部が高い山部と低い山部の間の谷からずれてしまうという問題があった。
【０００５】
一方、一般就寝時よりも安定的に頭部を保持することが要求される際に用いられる上記の特許文献２に開示される枕においては、４つのパッドによって画成された十字形凹部で患者の頭部を保持するものとされているため、患者の頭部の大きさや形状、頭部の重さの違いによって、例えばパッドの弾性変形が小さくなり十字形凹部に頭部が浅く保持されて安定性が確保できない場合や、逆にパッドの弾性変形が大きくなり頭部が深く沈み込みすぎて首部などに負荷がかかった姿勢で頭部が保持されてしまう場合があり、患者の頭部の形状や重さの違いに十分に対応することができないという問題があった。
【０００６】
また、このような枕では、枕本体の形状が複雑であるため、これを内包する枕カバーを着脱することが困難であるとともに、形状が複雑化した枕カバーをディスポーザブルなものにすると経済的な負担が大きくなるという問題があった。
【０００７】
本発明は、上記事情を鑑み、頭部を安定的に保持することが可能な枕及び着脱容易にこれを内包する枕カバーを提供することを目的とする。
【課題を解決するための手段】
【０００８】
上記の目的を達するために、この発明は以下の手段を提供している。
【０００９】
本発明の枕は、弾性体の枕本体を備える枕であって、前記枕本体は、略板状に形成されるとともに、上面から下面に貫通する頭部保持孔が設けられ、該枕本体の下方には、略板状に形成され、上面から下面に貫通する貫通孔を備えたスペーサが前記枕本体に重ねて設けられており、前記スペーサの前記貫通孔は、前記枕本体の前記頭部保持孔の下方に配されるとともに、前記頭部保持孔の開口面積よりも大きな開口面積を備えて形成されていることを特徴とする。
【００１０】
また、本発明の枕においては、前記枕本体が、低反発ウレタンで形成されていることが望ましい。
【００１１】
さらに、本発明の枕においては、前記スペーサが、前記枕本体と同じ素材、もしくは前記枕本体よりも硬度の高い素材で形成されていることがより望ましい。
【００１２】
本発明の枕カバーは、上記の枕を内包するための布状の柔軟材からなる枕カバーであって、一端側に前記枕を挿入する開口部を備えた袋状に形成され、撥水性または吸水性、あるいはこの双方の性質が付与されていることを特徴とする。
【００１３】
また、本発明の枕カバーにおいて、前記一端側は、前記柔軟材が少なくとも二重で形成されていることが望ましい。
【発明の効果】
【００１４】
本発明の枕によれば、枕本体に頭部保持孔が設けられていることによって、この枕本体の上面側に頭部を載せるとともに、後頭部の一部が頭部保持孔に嵌め込まれるようにして頭部を保持することが可能となる。また、このとき、枕本体の下方に、枕本体と重ねてスペーサが設けられ、このスペーサに頭部保持孔よりも大きな開口面積を有する貫通孔が設けられていることによって、頭部の荷重で圧縮した枕本体の頭部保持孔周辺部分を貫通孔内に沈み込むように変形させることが可能となる。このため、頭部保持孔とともに、この頭部保持孔周辺の下方に沈み込んだ上面で頭部、特に後頭部から側頭部に向かう部分を包み込むようにすることができ、頭部保持孔周辺の枕本体の上面を後頭部から側頭部に向かう部分に大きな面積で接触させて頭部を保持することが可能になる。これにより、頭部を安定的に保持してこの状態を維持することが可能とされる。
【００１５】
また、本発明の枕においては、枕本体が低反発ウレタンで形成されていることにより、枕本体の弾性を好適な状態にすることができ、上記効果を確実に得ることが可能とされる。
【００１６】
さらに、本発明の枕においては、スペーサが、枕本体と同じ素材、もしくは枕本体よりも硬度の高い素材で形成されていることにより、スペーサの弾性を、頭部の荷重が枕本体を通じてスペーサに作用した際にスペーサの圧縮変形によって貫通孔がつぶれてしまうことのない好適な状態にすることができ、より確実に上記効果を得ることが可能とされる。
【００１７】
本発明の枕カバーによれば、撥水性または吸水性、あるいはこの双方の性質が付与されていることによって、例えば患者の手術などの際に使用され、枕カバーに血液が付着するなどした場合においても、その撥水性により、付着した血液がこの袋状に形成された枕カバーで内包する上記の枕に達することを防止できる。また、吸水性が付与された場合においては、枕カバーに付着した血液が拡がることを防止できる。これにより、内包した枕を衛生的に保持することが可能とされる。
【００１８】
また、本発明の枕カバーにおいては、枕を挿入する開口部を備える一端側に、柔軟材が少なくとも二重で形成された部分が具備されることにより、上記の弾性体の枕を収納したり、内包した枕を取り出すことを容易に行なうことが可能になる。つまり、一般に、布状の柔軟材から形成された枕カバーに、上記の弾性体の枕を着脱しようとすると、枕カバーの開口部分がよれてしまい、弾性体の枕の収納に時間を要したり、逆に内包した枕を取り出す際には、枕カバーの開口部分がよれて枕本体にくっ付いたりしてやはり時間を要してしまう場合があった。これに対して、開口部分の柔軟材が少なくとも二重で形成されていることにより、この部分が補強され適度な剛性が付与されるため、枕本体を袋状の枕カバーの内部に挿入する際には、開口部を確実に開口した状態で保持することが可能となり、これにより好適に弾性体の枕本体を挿入することが可能になる。また、内包した弾性体の枕本体を取り出す際にも、この開口部が確実に開口した状態で保持されるため、容易に枕本体を引き出すことが可能になる。
【００１９】
さらに、このように一端側が少なくとも二重の柔軟材で形成されていることにより、枕カバーに弾性体の枕本体を挿入した段階で、補強部分を他端側に折曲げて、内包した枕本体を封止するようにした場合には、他端側に折曲げた部分が、柔軟材が少なくとも二重とされた補強部分であるため、枕本体を内包しつつ封止した状態を確実に保持することが可能とされる。これにより、例えば患者の手術に使用された場合において、補強部分が折曲げられて強固に枕本体が封止されることになるため、枕カバーに付着した血液などが内包する枕本体に開口部を介して付着することを確実に防止できる。
【発明を実施するための最良の形態】
【００２０】
以下、図１から図４を参照し、本発明の一実施形態に係る枕について説明する。本実施形態は、手術や治療を施す患者の頭部を安定的に保持する枕に関するものである。
【００２１】
本実施形態の枕Ａは、図１から図４に示すように、弾性体の枕本体１と、弾性体のスペーサ２とから構成され、枕本体１の下方にスペーサ２を重ねるように配置して使用されるものである。
【００２２】
枕本体１は、例えば低反発ウレタンで形成されているとともに、上面１ａ側からの平面視で一端１ｂ側が円弧形状を呈する略矩形板状に形成されている。また、この枕本体１には、前記平面視で略中央に、上面１ａから下面１ｃに貫通する略円形状の頭部保持孔１ｄが形成されている。ここで、低反発ウレタンとは、弾性と粘性とを併せ持つ粘弾性ウレタンフォームであって、ヒステリシスロス率（ＪＩＳ  Ｋ  ６４００−２）が大きく、優れた衝撃吸収性を有し、反発弾性率（ＪＩＳ  Ｋ  ６４００−３）が１５％程度以下とされて、圧縮した後に外力を取り除くとゆっくりと元の形状に戻る性質を有するものを表す。
【００２３】
スペーサ２は、例えば枕本体１と同様の低反発ウレタンや枕本体１よりも硬度の高いウレタン材などで形成されており、枕本体１と上面２ａ側からの平面視で外郭形状が略等しくなる略矩形板状に形成されている。一方、このスペーサ２には、上面２ａ側からの平面視で、略中央に、上面２ａから下面２ｂに貫通する略矩形状の貫通孔２ｃが形成されており、この貫通孔２ｃは、枕本体１の下面１ｃをスペーサ２の上面２ａに当接させてスペーサ２を枕本体１の下方に重ねて設けた際に、枕本体１の頭部保持孔１ｄの下方、好ましくは直下に位置されるように形成されているとともに、頭部保持孔１ｄよりも上面２ａ側からの平面視の開口面積が大きくなるように形成されている。
【００２４】
ついで、上記の構成からなる枕Ａの作用及び効果について説明する。
【００２５】
枕本体１の下面１ｃとスペーサ２の上面２ａを当接させて互いの外郭が、上面１ａ側からの平面視で略一致するように重ねた枕Ａを、スペーサ２が下方に位置するように例えばベッドに載置する。この状態の枕Ａに対して、図４に示すように、患者３の頭頂部３ａ側が円弧形状を呈する一端１ｂ側に配され、首部３ｂが円弧形状を呈する一端１ｂ、２ｄ側と反対に位置する他端１ｅ、２ｅ側に配されるように患者３の頭部３ｃを枕本体１の上面１ａ側に載せる。このとき、患者３の上方を向く顔面に対して、下方を向く後頭部３ｄの一部が枕本体１の頭部保持孔１ｄ内に嵌まり込むようにされて患者３の頭部３ｃが枕本体１に支持される。
【００２６】
この状態で、枕本体１は、例えば低反発ウレタンなどの弾性体で形成されているため、頭部３ｃの荷重により圧縮される。さらに、頭部保持孔１ｄの直下に、この頭部保持孔１ｄよりも大きな開口面積を備えるスペーサ２の貫通孔２ｃが設けられていることで、枕本体１の患者３の頭部３ｃを支持する頭部保持孔１ｄ周辺の枕本体１が頭部３の荷重によってスペーサ２の貫通孔２ｃ内に入り込むように凹むこととなる。これにより、患者３の後頭部３ｄは、その一部が枕本体１の頭部保持孔１ｄに入り込んで保持されるとともに、この頭部保持孔１ｄ周辺のスペーサ２の貫通孔２ｃ側に凹んだ部分の上面１ａが後頭部３ｄから側頭部３ｅに向けた部分を包み込むように接触するため、患者３の頭部３ｃが安定的に枕Ａに保持されることとなる。このように、本実施形態の枕Ａで頭部３が保持された場合には、例えば患者３が不意に動くなどした際にも、頭部３が十分に枕Ａの下方に沈み込んで、安定した装着状態で保持されるため、頭部３がずれることが防止される。
【００２７】
したがって、上記の枕Ａによれば、枕Ａを弾性体の枕本体１とスペーサ２とから構成し、枕本体１の頭部保持孔１ｄで患者３の頭部３ｃを保持できるとともに、スペーサ２の貫通孔２ｃが枕本体１の頭部保持孔１ｄよりも大きな開口面積を備えるように形成されていることで、枕本体１に載置した頭部３の荷重によって、枕本体１の頭部保持孔１ｄ周辺部分をスペーサ２側に凹むように変形させることが可能となる。これにより、枕本体１の頭部保持孔１ｄとともに、スペーサ２側に凹むように変形した部分で患者３の頭部３ｃを保持することが可能とされるとともに、スペーサ２側に凹んだ枕本体１の上面１ａが患者３の後頭部３ｄから側頭部３ｅ側の部分を包み込むように接触されることになるため、患者３の頭部３ｃをより確実に安定的に保持することが可能とされる。
【００２８】
また、上記の枕Ａにおいては、患者３の頭部３ｃの大きさや形状が異なる場合においても、枕本体１のスペーサ２側に凹む部分の上面１ａが頭部３の大きさや形状に係わりなく確実に包むように接触することとなり、さらに、頭部３の重さが異なる場合においても、その重さに応じた変形量で枕本体１がスペーサ２側に同じく頭部３を包むように凹んで、枕本体１の上面１ａが頭部３を包むように接触することになるため、頭部３を安定的に保持することが可能とされる。
【００２９】
以上、本発明に係る枕の実施の形態について説明したが、本発明は上記の一実施形態に限定されるものではなく、その趣旨を逸脱しない範囲で適宜変更可能である。例えば、上記の実施形態では、枕本体１とスペーサ２がそれぞれ個別に形成されて、枕本体１の下面１ｃとスペーサ２の上面２ａとを重ねるように配置して使用するものとしたが、例えば枕本体１の下面１ｃとスペーサ２の上面２ａとを固着して、枕本体１とスペーサ２とが一体形成されていてもよいものである。また、枕本体１とスペーサ２とが、ともに上面１ａ、２ａ側からの平面視で一端１ｂ、２ｄ側が円弧形状を呈する略矩形板状に形成されているものとしたが、この限りではなく、それぞれの外郭形状は、略矩形状であっても略円形状であってもよいものである。
【００３０】
さらに、本実施形態では、枕本体１の頭部保持孔１ｄが、上面１ａ側からの平面視で略円形状を呈するように形成され、スペーサ２の貫通孔２ｃが、上面２ａ側からの平面視で略矩形状に形成されているものとしたが、少なくとも貫通孔２ｃの開口面積が頭部保持孔１ｄの開口面積よりも大きく形成されていれば、頭部保持孔１ｄ及び貫通孔２ｃの形状は限定を必要とするものではなく、特に貫通孔２ｃの形状は略円形状であったり、略楕円形状であってもよいものである。
【００３１】
また、本実施形態では、枕本体１が低反発ウレタンで形成され、スペーサ２が枕本体１と同様の低反発ウレタン材やこれよりも硬度の高いウレタン材で形成されているものとしたが、これらのウレタン材と同様の弾性や硬度の性質を備えていれば、例えばゴムなどの他の弾性体で形成されてもよく、この場合においても、本実施形態と同様の効果を得ることが可能である。
【００３２】
ついで、図５から図６を参照し、本発明の一実施形態に係る枕カバーについて説明する。本実施形態の枕カバーは、手術や治療を施す患者の頭部を安定的に保持するための前述の一実施形態に係る枕を内包する枕カバーに関するものである。
【００３３】
本実施形態の枕カバーＢは、図５から図６に示すように、例えば不織布などの柔軟材４で形成されており、その端部４ａ、４ｂ側を接着あるいは溶着して一端４ｃ側に開口部４ｄを備える平面視略矩形状の袋状に形成されたものである。また、開口部４ｄ側の一端４ｃと反対に位置する他端４ｅは、前述の枕Ａの一実施形態に示した枕本体１及びスペーサ２の一端１ｂ、２ｅの形状と係合する平面視に円弧形状を呈するように形成されている。ここで、この枕カバーＢは、不織布などの安価な柔軟材４で形成されるものであるため、ディスポーザブルな枕カバーＢとされている。また、この枕カバーＢは、ポリプロピレンなどの撥水性材料または吸水性ポリマーなどの吸水性材料を用いて形成されて撥水性または吸水性が付与されている。なお、枕カバーＢは、抗菌性物質が塗布やコーティングされてより衛生的なものとされていてもよいものである。
【００３４】
また、本実施形態の枕カバーＢは、開口部４ｄ側の一端４ｃが枕カバーＢの他端４ｅ側に折り返されて、開口部４ｄ側の柔軟材４が二重に形成されて、他の部分よりも剛性の高い補強部４ｆが形成されている。この補強部４ｆは、例えば折り返された一端４ｇが柔軟材４に固着されて保持されている。
【００３５】
ついで、上記の構成からなる枕カバーＢの作用及び効果について説明する。
【００３６】
上記の枕カバーＢで前述の一実施形態に示した枕Ａを内包して、この枕Ａに枕カバーＢを装着する際には、一般の枕カバーと同様に、開口部４ｄ側から枕カバーＢの内部に枕Ａを挿入して装着することとなる。本実施形態の枕カバーＢのように、ディスポーザブルとするために不織布などを用いて非常に柔軟性が高い状態で形成された枕カバーでは、弾性体の枕を挿入する際に、開口部分の柔軟材４がよれてしまい、枕Ａを好適に挿入できないことがあり、装着作業を容易にかつ早急に行なうことが可能な枕カバーが求められていた。
【００３７】
これに対して、本実施形態の枕カバーＢにおいては、不織布などを用いて非常に柔軟性が高い柔軟材４で形成されている一方で、開口部４ｄ側が枕カバーＢの他端４ｅ側に折り返されて柔軟材４が二重とされて、他の部分よりも剛性の高い補強部４ｆが形成されているため、枕カバーＢを弾性体の枕Ａに装着する際には、開口部４ｃを画成する柔軟材４がよれて開口部４ｃが閉塞されてしまうことを防止できる。これにより、弾性体の枕Ａを、時間を要することなく好適に枕カバーＢに挿入し内包させることが可能とされる。
【００３８】
また、枕カバーＢの内部に枕Ａを挿入した段階で、補強部４ｆが他の部分よりも高剛性とされていることで、補強部４ｆの枕カバーＢの他端４ｅ側に配された一端４ｇに沿って、この補強部４ｆを枕カバーＢの他端４ｅ側に（図５の矢印ａ方向に）折曲げて、この状態を保持することが可能とされる。
【００３９】
このように枕Ａを内包した段階で、手術を施す患者の頭部を保持した場合には、例えば術野からの出血が枕カバーＢに飛散し付着した場合においても、枕カバーＢの柔軟材４に撥水性が付与されているため、枕カバーＢに血液が滲み込んで内包した枕Ａが汚れることを防止できる。また、大量の血液が枕カバーＢの柔軟材４に付着しこの表面を流動するような場合においても、枕カバーＢの補強部４ｆが他端４ｅ側に折り返されて強固に保持されているため、枕Ａを確実に封止した状態で内包しており、内包した枕Ａに血液が到達してこれが付着することを確実に防止できる。また、枕カバーＢの柔軟材４に吸水性が付与されている場合には、不測の事態で枕カバーＢの内側に血液が入り込んだときにも、この枕カバーＢが血液を吸収することで、汚れが拡がることを防止できる。
【００４０】
また、枕カバーＢから枕Ａを取り出す際には、折曲げた補強部４ｆを元の位置に戻すとともに、補強部４ｆで開口部４ｄが確実に開口されるため、内包した枕Ａを容易に外部に取り出すことが可能とされる。
【００４１】
したがって、上記の枕カバーＢによれば、不織布などの柔軟性の高い素材で形成され、ディスポーザブルな枕カバーＢとした場合であっても、一端４ｃ側に補強部２ｆが形成されていることによって、弾性体の枕Ａを容易に着脱することが可能とされる。また、内包した枕Ａを衛生的に保持することが可能とされる。
【００４２】
以上、本発明に係る枕カバーの実施の形態について説明したが、本発明は上記の一実施形態に限定されるものではなく、その趣旨を逸脱しない範囲で適宜変更可能である。例えば、上記の実施形態では、枕カバーＢの一端４ｃ側の補強部４ｆが、柔軟材４を二重にして形成されているものとしたが、柔軟材４が二重以上で重ねられて形成されていてもよいものである。この場合には、より確実に開口部分がよれることを防止できる。また、これに関連して、枕カバーＢの一端４ｃ側を二重以上で形成せずに、補強部４ｆを具備せぬ枕カバーＢとしてもよく、この場合には、補強部４ｆを形成するための製作手間をなくして枕カバーＢのコストを低減することができ、これにより、枕カバーＢをディスポーザブルなものとした場合においてもその経済的負担の軽減を図ることが可能とされる。さらに、本実施形態では、枕カバーＢの他端４ｅが、前述の枕Ａの一実施形態として示した枕本体１及びスペーサ２の一端１ｂ、２ｄの形状と係合する円弧形状を呈するように形成されているものとしたが、枕カバーＢは、平面視に矩形状を呈するように形成されてもよく、特にその形状が限定される必要はない。
【００４３】
また、本実施形態では、柔軟材４が不織布であるものとしたが、織布であってもよいものである。さらに、本実施形態では、枕カバーＢが、ポリプロピレンなどの撥水性材料または吸水性ポリマーなどの吸水性材料を用いて形成されているものとしたが、例えば吸水性材料の柔軟材４の内面側、すなわち内包した枕Ａと接触する内面側に撥水性材料をコーティングしたりして、吸水性と撥水性の双方の性質が付与されていてもよいものである。この場合には、例えば枕カバーＢの外面に付着した血液がその吸水性によって飛散することを防止できるとともに、枕カバーＢの外面から内包した枕Ａの側に柔軟材４を通じて浸透した血液が、柔軟材４の内面側の撥水性材料によって遮断され、枕Ａに到達することを防止できる。これにより、付着した血液の飛散を防止しつつ内包した枕Ａを衛生的に保持することが可能とされる。また、本発明の枕カバーＢは、必ずしも撥水性や吸水性が付与されていなくてもよいものである。
【図面の簡単な説明】
【００４４】
【図１】本発明の一実施形態の枕の枕本体を示す正面図である。
【図２】本発明の一実施形態の枕のスペーサを示す正面図である。
【図３】図１及び図２に示した枕本体とスペーサからなる枕を示す側面図である。
【図４】本発明の一実施形態の枕の使用状態を示す図である。
【図５】本発明の一実施形態として示した枕カバーを示す図である。
【図６】図５の枕カバーを弾性体の枕に装着した状態を示す図である。
【符号の説明】
【００４５】
１    枕本体
１ａ  上面
１ｂ  一端
１ｃ  下面
１ｄ  頭部保持孔
１ｅ  他端
２    スペーサ
２ａ  上面
２ｂ  下面
２ｃ  貫通孔
２ｄ  一端
２ｅ  他端
３    患者（使用者）
３ｃ  頭部
４    柔軟材
４ｃ  一端
４ｄ  開口部
４ｅ  他端
４ｆ  補強部
Ａ    枕
Ｂ    枕カバー
【図１】
2007111157.tif 000003
【図２】
2007111157.tif 000004
【図３】
2007111157.tif 000005
【図４】
2007111157.tif 000006
【図５】
2007111157.tif 000007
【図６】
2007111157.tif 000008